(57)【要約】      （修正有）【課題】前輪の後方に蓄電装置が設けられる車両において、車両の走行中に跳ね上げられた異物による蓄電装置を確実に保護する蓄電装置配設構造を提供する。【解決手段】車両１の車室前壁部を構成するダッシュパネル８と、ダッシュパネル８から車両前方に延びる左右一対のフロントサイドフレーム２１と、フロントサイドフレーム２１の車幅方向外側に位置する前輪１０と、前輪１０の前後方向周面部を覆うフェンダーライナー６０と、蓄電装置３０とを備えた車両の蓄電装置配設構造において、蓄電装置３０は、フロントサイドフレーム２１よりも車幅方向外側下方において、ダッシュパネル８と前輪１０との間に第１ブラケットを介して車体に取り付けられており、第１ブラケットは蓄電装置３０の前方を覆い、フェンダーライナー６０は、第１ブラケットの前方を覆うように設ける。【選択図】図１
2015030438.tif 000002
【特許請求の範囲】
【請求項１】
車両の車室前壁部を構成するダッシュパネルと、前記ダッシュパネルから車両前方に延びる左右一対のフロントサイドフレームと、前記フロントサイドフレームの車幅方向外側に位置する前輪と、前輪の前後方向周面部を覆うフェンダーライナーと、蓄電装置とを備えた車両の蓄電装置配設構造において、
前記蓄電装置は、前記フロントサイドフレームよりも車幅方向外側下方において、前記ダッシュパネルと前記フェンダーライナーとの間の空間に第１ブラケットを介して車体に取り付けられており、
前記第１ブラケットは、前記蓄電装置の前方を覆うように設けられていることを特徴とする車両の蓄電装置配設構造。
【請求項２】
前記車体は、前部が前記フロントサイドフレームをなすとともに、後端部が前記ダッシュパネルの前面に沿って延設されるフロントフレームを有しており、
前記フロントフレームは、前記ダッシュパネルと協働して閉断面を形成する閉断面形成部を有しており、
前記第１ブラケットは、前記フェンダーライナーの後壁部の後方において、前記フロントフレームの閉断面形成部に取り付けられていることを特徴とする請求項１に記載の車両の蓄電装置配設構造。
【請求項３】
前記フェンダーライナーは、前記前輪と前記蓄電装置との間において、前記第１ブラケットの前方を覆うように設けられており、
前記フェンダーライナーの後壁部は、前記第１ブラケットに取り付けられることを特徴とする請求項１または請求項２記載の車両の蓄電装置配設構造。
【請求項４】
前記フェンダーライナーは、前記フェンダーライナーの後下端部が後方に屈曲して前記蓄電装置の下方に延びる延設部を有することを特徴とする請求項１〜３記載の車両の蓄電装置配設構造。
【請求項５】
前記フェンダーライナーの延設部は、前記蓄電装置の後方において車体に取り付けられていることを特徴とする請求項４記載の車両の蓄電装置配設構造。
【請求項６】
前記蓄電装置には、前記蓄電装置を車体に取り付ける第２ブラケットが前記蓄電装置の後方を覆うように設けられており、
前記第１ブラケットと前記第２ブラケットとが連結されていることを特徴とする請求項１〜５に記載の車両の蓄電装置配設構造。
【発明の詳細な説明】
【技術分野】
【０００１】
本発明は、電気を蓄電する蓄電装置を備えた車両の蓄電装置配設構造に関するものである。
【背景技術】
【０００２】
従来、自動車等の車両に二次電池（例えば、ニッケル水素二次電池、ニッカド二次電池、リチウムイオン二次電池、鉛蓄電池）のような、電気を蓄電する蓄電装置を搭載することはよく知られている。この蓄電装置としては、二次電池以外にも、キャパシタが用いられることも知られている。
【０００３】
上記のような蓄電装置は、車両前部のエンジンルーム又はモータルーム（電動車両を駆動するモータが配設される）内に配設されることが多いが、蓄電装置（特にキャパシタ）は熱に弱いため、エンジンルーム内でもできるだけ温度の低いところに配設することが好ましい。そのため、例えば特許文献１に示されているように、フロントサイドフレームの車幅方向外側前端部に蓄電装置が配設される場合がある。
【先行技術文献】
【特許文献】
【０００４】
【特許文献１】特開２０１２−１９２８９０号公報
【発明の概要】
【発明が解決しようとする課題】
【０００５】
上記特許文献１に記載のように、フロントサイドフレームの前端部に蓄電装置を配設すると、重量物が車両の前端部に位置することとなる。
しかしながら、車両の運動性能（安定性や旋回性）を考慮した場合、重量物は極力車両の重心に近い位置に配設することが望ましく、特に前輪と後輪との間のホイールベース内に配設することが好ましい。
したがって、特許文献１のような蓄電装置の配置は、より運動性能（安定性や旋回性）を考慮した場合には改善の余地がある。
【０００６】
そこで、運動性能（安定性や旋回性）上好ましいホイールベース内に蓄電装置を配設することを考えた場合、蓄電装置を配設可能な空間として、前輪とダッシュパネルとの間の空間が考えられる。
【０００７】
しかしながら、蓄電装置を前輪とダッシュパネルとの間の空間に配設する場合には、車両の走行中に異物（例えば、泥水や小石等）が路面から跳ね上げられること等が考えられる。そのため、電装品である蓄電装置を、異物が当たることによる衝撃から確実に保護する必要がある。
【０００８】
一方で、ホイールアーチの内側には一般に、フェンダーライナーが設けられるが、ダッシュパネルと前輪との間の空間に蓄電装置を配設しようとする場合、フェンダーライナーとの位置関係を考慮したうえで、蓄電装置の支持を確実に行うための工夫が必要となる。
【０００９】
本発明は、斯かる点に鑑みてなされたものであり、その目的とするところは、蓄電装置を前輪とダッシュパネルとの間の空間に配設する場合に、限られた空間に蓄電装置を確実に支持し、また蓄電装置を確実に保護することにある。
【課題を解決するための手段】
【００１０】
本発明に係る車両の蓄電装置配設構造は、車両の車室前壁部を構成するダッシュパネルと、前記ダッシュパネルから車両前方に延びる左右一対のフロントサイドフレームと、前記フロントサイドフレームの車幅方向外側に位置する前輪と、前輪の前後方向周面部を覆うフェンダーライナーと、蓄電装置とを備えた車両の蓄電装置配設構造において、前記蓄電装置を、前記フロントサイドフレームよりも車幅方向外側下方において、前記ダッシュパネルと前記フェンダーライナーとの間の空間に第１ブラケットを介して車体に取り付けて、前記第１ブラケットを、前記蓄電装置の前方を覆うように構成したものである。
【００１１】
上記構成によれば、蓄電装置をフロントサイドフレームよりも車幅方向外側下方において、ダッシュパネルと前輪（より詳細には、フェンダーライナー）との間の空間に配設する場合に、蓄電装置を車体に取り付ける第１ブラケットを蓄電装置の前方を覆うように設けて、蓄電装置の前方を剛性部材で覆う事により、車両の走行中に異物（例えば、小石等）が路面から跳ね上げられた場合においても、コンパクトな構成で蓄電装置を確実に保護することができる。
【００１２】
また、ダッシュパネルとフェンダーライナーとの間の空間において、第１ブラケットを蓄電装置の前方を覆うように設けることで、フェンダーライナーの配設位置を考慮したうえで、蓄電装置の重さを第１ブラケットの広範に分散させて、確実に蓄電装置を支持することができる。
【００１３】
この発明の一実施態様においては、前記車体は、前部が前記フロントサイドフレームをなすとともに、後端部が前記ダッシュパネルの前面に沿って延設されるフロントフレームを有しており、前記フロントフレームは、前記ダッシュパネルと協働して閉断面を形成する閉断面形成部を有しており、前記第１ブラケットは、前記フェンダーライナーの後壁部の後方において、前記フロントフレームの閉断面形成部に取り付けられたものである。
【００１４】
上記構成によれば、第１ブラケットを、フェンダーライナーの後壁部の後方において、ダッシュパネルと協働して閉断面を形成するフロントフレームの閉断面形成部に取り付けることで、重量物である蓄電装置を、フェンダーライナーの配設位置を考慮したうえで、より確実に支持することができる。
【００１５】
この発明の一実施態様においては、前記フェンダーライナーは、前記前輪と前記蓄電装置との間において、前記第１ブラケットの前方を覆うように設けられており、前記フェンダーライナーの後壁部は前記第１ブラケットに取り付けられているものである。
【００１６】
上記構成によれば、前輪と蓄電装置との間において、第１ブラケットの前方を覆うようにフェンダーライナーを設けることにより、異物の跳ね上げに対して、フェンダーライナーと第1ブラケットとで蓄電装置を二重に保護することができる。
【００１７】
さらに、フェンダーライナーが第１ブラケットに取り付けられることにより、異物がフェンダーライナーに当たったときの衝撃が、フェンダーライナーと第１ブラケットとの両者で吸収されるため、より確実に蓄電装置を保護することができる。
【００１８】
この発明の一実施態様においては、前記フェンダーライナーは、前記フェンダーライナーの後下端部が後方に屈曲して前記蓄電装置の下方に延びる延設部を有するものである。
【００１９】
上記構成によれば、フェンダーライナーの後下端部を後方に屈曲させるとともに蓄電装置の下方まで延設して、下方からフェンダーライナーと蓄電装置との間の空間への異物の浸入を防止することにより、蓄電装置をより確実に保護することができる。
【００２０】
この発明の一実施態様においては、前記フェンダーライナーの延設部は、前記蓄電装置の後方において車体に取り付けられているものである。
【００２１】
上記構成によれば、フェンダーライナーの延設部を蓄電装置後方の車体まで延設して、下方から蓄電装置と蓄電装置後方の車体との間の空間への異物の浸入を防止するとともに、車体へ取り付けて延設部の支持剛性を確保することにより、蓄電装置をより確実に保護することができる。
【００２２】
この発明の一実施態様においては、前記蓄電装置には、前記蓄電装置を車体に取り付ける第２ブラケットが前記蓄電装置の後方を覆うように設けられており、前記第１ブラケットと前記第２ブラケットとが連結されているものである。
【００２３】
上記構成によれば、蓄電装置を車体に取り付ける第２ブラケットを蓄電装置の後方を覆うように設けて、蓄電装置の後方を剛性部材で覆うことで、車両の走行中に跳ね上げられた異物が車体や他の異物に当たって跳ね返った場合においても、蓄電装置の後部を確実に保護することができる。
【発明の効果】
【００２４】
本発明によれば、車両の走行中に跳ね上げられる異物から蓄電装置を確実に保護しながら、ダッシュパネルと前輪との間の空間に蓄電装置を配設することができる。
【図面の簡単な説明】
【００２５】
【図１】本発明の実施形態に係る車両１の前部の要部を示す正面図である。
【図２】本発明の実施形態に係る車両１の前部の要部（車両左側部分）を示す側面図である。
【図３】本発明の実施形態に係る蓄電装置３０に第１ブラケット４０及び第２ブラケット５０を取り付けた状態を示す前側斜視図である。
【図４】本発明の実施形態に係る蓄電装置３０に第１ブラケット４０及び第２ブラケット５０を取り付けた状態を示す後側斜視図である。
【図５】本発明の実施形態に係る第１ブラケット４０を示す斜視図である。
【図６】本発明の実施形態に係る第１ブラケット４０を示す三面図である。（a：上面図、ｂ：正面図、ｃ：側面図）
【図７】本発明の実施形態に係る第２ブラケット５０を示す斜視図である。
【図８】本発明の実施形態に係るフェンダーライナー６０を示す斜視図である。
【図９】本発明のその他の実施形態に係る車両１の前部の要部（車両左側部分）を示す側面図である。
【図１０】本発明のその他の実施形態に係るフェンダーライナー７０を示す斜視図である。
【発明を実施するための形態】
【００２６】
以下、本発明の実施の形態について、添付の図面に基づいて説明する。
【００２７】
図は１〜８は、本発明に係る車両１の蓄電装置配設構造の実施例１を示している。図１及び図２は、本実施に係る車両１において、車室空間と隔壁して設けられる車両前部を示している。車両前部には不図示のエンジンが配設されており、このエンジンにより当該車両１の車輪が駆動されるようになっている。尚、車両前部に設けられるエンジンルーム２内に搭載されるエンジン及びその他の搭載物の記載は省略している。以下、上記車両１についての前、後、左、右、上及び下を、それぞれ単に前、後、左、右、上及び下という。
【００２８】
上記の車両前部は、車室前壁部を構成するダッシュパネル８によって車室空間と隔壁されており、ダッシュパネル８の前方にはエンジンルーム２が形成される。
また、ダッシュパネル８の前面側には、フロントフレーム２０が左右にそれぞれ配設されており、ダッシュパネル８から前方に延びる左右一対のフロントサイドフレーム２１（フロントフレーム２０の前部）がエンジンルーム２の車幅方向の両端部に配設される。
【００２９】
フロントフレーム２０の後端部は、例えば特開２００５−０７５１６７号公報に記載されるような、三つ又フレームとして構成されており、ダッシュパネル８の前面に沿ってそれぞれ延設されており、後下方へ延びるキック部２２、及び車幅方向に延びる内延部２３と外延部２４とを形成している。なお、フロントフレーム２０の後端部（キック部２２、内延部２３、外延部２４）はダッシュパネルと協働して閉断面２５を形成している。そのため、閉断面２５を形成するキック部２２、内延部２３、外延部２４をフロントフレーム２０の閉断面形成部と称する。
また、ダッシュパネル８の前面下部において、フロントフレーム２０の後端部外側を車幅方向に延びるトルクボックス９が配設されている。
【００３０】
左側のフロントサイドフレーム２１よりも車幅方向外側（左側）つまりエンジンルーム２の左外側でかつ前後方向においてダッシュパネル８と前輪１０との間の空間には、電気を蓄電する蓄電装置３０が配設されている。また、この蓄電装置３０は、車両正面視において、左側のフロントサイドフレーム２１よりも下方に位置しており、左側の前輪１０と正面視で部分的に重複する位置に配設されている。
【００３１】
上記蓄電装置３０は、車両１の減速時にオルタネータによって発生した電気を蓄電し、この蓄電装置３０から、車両１に搭載された電装品（例えば空調装置、オーディオ装置、ナビゲーション装置、照明装置等）に、上記蓄電した電気（電力）が供給されるように構成されている。また、上記電装品では使い切れない余剰分の電気は、該電装品に電気を供給する鉛蓄電池（エンジンルーム２内に配設される）に供給されて蓄電される。尚、蓄電装置３０の蓄電電圧は、上記鉛蓄電池の電圧よりも高く設定されており、蓄電装置３０から上記鉛蓄電池又は上記電装品への電気供給時には、ＤＣ／ＤＣコンバータにより降圧される。
【００３２】
上記蓄電装置３０は、上下方向に延びる断面円形の複数の蓄電素子３１を有しており、本実施形態では、図３及び図４に示すように、複数の蓄電素子３１が水平方向に配列される。また、蓄電素子３１は車幅方向外側（左側）よりも車幅方向内側（右側）に多く設けることで、蓄電装置３０を前輪１０の後方位置において前後方向に短くなるように構成している。具体的には、蓄電装置３０は合計９本の蓄電素子３１から構成されており、６本を右側に前後２列とし、３本を左側に１列として配列している。これら蓄電素子３１は、キャパシタからなる。
【００３３】
蓄電素子３１の上端部と下端部は樹脂製のキャップ３２に嵌められて一体化されており、この一体化されたものをモジュール（蓄電装置３０）という。
そして、モジュール（蓄電装置３０）が、前後に設けられる金属製の剛性部材（第１ブラケット４０及び第２ブラケット５０）によってユニット化されて、車体に組み付けられている。これらの剛性部材（第１ブラケット４０及び第２ブラケット５０）は、モジュール（蓄電装置３０）の上側及び下側キャップ３２に締結部材によってそれぞれ固定されている。
【００３４】
図３〜図６に示すように、第１ブラケット４０は、蓄電装置３０に取り付けられて、一体的に蓄電装置３０を車体に組み付けるものであり、蓄電装置３０の前方を覆って蓄電装置３０の前部を保護する本体部４１と、後述の第２ブラケット５０と連結する連結部４２と、蓄電装置３０を車体へ組み付ける組付け部４３とを有している。
【００３５】
第１ブラケット４０の本体部４１は、蓄電装置３０を保護するように蓄電装置３０の前方を覆って設けられる。また、本体部４１は、蓄電素子３１の配列に沿って車両内側が前方に屈曲して形成されている。
【００３６】
本体部４１の上部と下端部には、それぞれ上側及び下側キャップ３２に第１ブラケット４０を固定するための差込部４４が複数設けられている。この差込部４４を蓄電装置３０の上側及び下側キャップ３２に差し込み、それぞれ締結固定することで第１ブラケット４０を蓄電装置３０に取り付ける。
【００３７】
本体部４１の下部には、フェンダーライナー６０が取り付けられるフェンダーライナー取付け部４５が２ヶ所設けられている。一方（車両内側）のフェンダーライナー取付け部４５は、別体の取付けブラケットを本体部４１の前面に接合して設けられている。他方（車両外側）のフェンダーライナー取付け部４５は、上述の屈曲部の周囲を切り起こして取付け座面を形成することで一体的に設けられている。
【００３８】
連結部４２は本体部４１の両側端から後方へ延びて形成されており、後述の第２ブラケット５０と連結される。
【００３９】
組付け部４３は、本体部４１の上方に設けられており、本体部４１の上端から後方へ屈曲して上方へ延設し、その先端にはボルト挿通孔４３ａが設けられており、不図示のボルト及びナットによりフロントフレーム２０の閉断面形成部である外延部２４に組み付けられる。
また、本体部４１の上部、及び組付け部４３にはオルタネータ等のその他の車両搭載物と電気的に接続するコネクタ３５が取り付けられるコネクタ取付け部４６が設けられている。
【００４０】
図３，図４及び図７に示すように、第２ブラケット５０は、蓄電装置３０に取り付けられて、一体的に蓄電装置３０を車体に組み付けるものであり、蓄電装置３０の後方を覆って蓄電装置３０の後部を保護する本体部５１と、第１ブラケット４０と連結する連結部５２と、蓄電装置３０を車体へ組み付ける組付け部５３とを有している。
【００４１】
第２ブラケット５０の本体部５１は、上下方向で上側及び下側キャップ３２の間を車幅方向に延びて形成されており、蓄電装置３０を保護するように蓄電装置３０の後方を覆って設けられる。
本体部５１の上端部と下端部には、それぞれ上側及び下側キャップ３２に第２ブラケット５０を固定するための差込部５４が複数設けられている。この差込部５４を蓄電装置３０の上側及び下側キャップ３２に差し込み、それぞれ締結固定することで第２ブラケット５０を蓄電装置３０に取り付ける。
【００４２】
連結部５２は、本体部５１の両側端から前方へ延びて形成されており、蓄電装置３０の両側方で第１ブラケット４０の連結部４２に固定される。これにより第１ブラケット４０と第２ブラケット５０で蓄電装置３０の側方を一体的に囲っている。このため、第１ブラケット４０及び第２ブラケット５０を剛性の高い部材で設けた場合には、蓄電装置３０の側方の全周を一体的に剛性部材で囲うことができる。
【００４３】
組付け部５３は、本体部５１の中央から後下方に屈曲して延びて、その先端にはボルト挿通孔５３ａが設けられており、不図示のボルト及びナットによってトルクボックス９を形成する部材に組み付けられる。
【００４４】
蓄電装置３０の上面左端部（車幅方向外側）には強制放電装置３３、また左面上端部にはヒューズボックス３４が設けられており、強制放電装置３３及びヒューズボックス３４は、蓄電装置の左側に設けられる第１ブラケット４０及び第２ブラケット５０の連結部４２，５２よりも上方に設けられる。
ここで、強制放電装置３３とは、車両１またはキャパシタ単体を廃棄する際に、キャパシタに電気が充電された状態で廃棄される事を防止するために、キャパシタの残存電圧を低減させる装置である。
【００４５】
そのため、車両状態で強制放電装置３３又はヒューズボックス３４を操作する必要があった場合においても、第１ブラケット４０及び第２ブラケット５０に覆われておらず、また車両外部側に設けられているため、後述のフェンダーライナー６０のファスナー部材の一部を取り外し、フェンダーライナー６０を捲ることで車両外部からアクセスを容易に行うことができる。
【００４６】
フロントサイドフレーム２１の車幅方向外側には、不図示のサスペンション部品を介して、前輪１０が車両１の両側端部にそれぞれ設けられている。
前輪１０のホイールアーチは、車体を前方から側方にかけて覆うフロントバンパ３と、ボンネット４の左右から下方に延設されて車体前部の側方を覆うフェンダパネル５とによって形成され、ホイールアーチの内側で前輪１０の前後方向周面部を覆うフェンダーライナー６０によってホイールハウスが形成される。
【００４７】
フェンダーライナー６０は樹脂等の柔軟性のある素材からなり、フェンダーライナー６０の車外側端部は、上記フェンダパネル５及びフロントバンパ３のホイールアーチ部に対してファスナー部材で着脱可能に固定されていると共に、その車内側端部の上縁部はフロントサイドフレーム２１に接合されるサスペンションタワー６に対して同様に固定されている。
【００４８】
そのため、フェンダーライナー６０は、前輪１０と蓄電装置３０との間において、第１ブラケット４０の前方を覆うように設けられる。
また、フェンダーライナー６０は、図８に示すように、蓄電装置３０よりも上方で且つ車両外側で分割される別体の後壁部６１を有しており、別体の後壁部６１は固定部６１ａにおいて、第１ブラケット４０のフェンダーライナー取付け部４５に不図示のファスナー部材等で着脱可能に取付けられる。
フェンダーライナー６０の別体の後壁部６１には下端が後方に屈曲して前記蓄電装置３０の下方に延びる延設部６２が設けられており、フェンダーライナー６０の延設部６２は、前記蓄電装置３０の後方まで延設される。延設部６２の先端にはトルクボックス９の下面に取り付けられる固定部６２ａが設けられる。
【００４９】
次に、本実施例の作用について説明する。
蓄電装置３０をフロントサイドフレーム２１よりも車幅方向外側下方において、ダッシュパネル８と前輪１０との間に配設することにより、蓄電装置３０のように重量の大きい部品をできる限り車両１の前後方向中央寄りに配設することができ、ピッチング（段差を乗り越えたとき等に車両１の前部が上下に揺れる現象）が起き難くなる等、車両１の運動性能（安定性や旋回性）の低下を防止することができる。
【００５０】
蓄電装置３０をフロントフレームの外延部２４（車体）に取り付ける第１ブラケット４０を蓄電装置３０の前方を覆うように設けて、蓄電装置３０の前方を剛性部材で覆う事により、第１ブラケット４０が蓄電装置３０の取り付けと保護とを兼ねて一体的に設けられ、車両１の走行中に異物（例えば、泥水や小石等）が路面から跳ね上げられた場合においても、コンパクトな構成で蓄電装置３０を確実に保護することができる。
【００５１】
蓄電装置３０をトルクボックス９（車体）に取り付ける第２ブラケット５０を蓄電装置３０の後方を覆うように設けて、蓄電装置３０の後方を剛性部材で覆うことで、第２ブラケット５０が蓄電装置３０の取り付けと保護とを兼ねて一体的に設けられ、車両１の走行中に跳ね上げられた異物が車体や他の異物に当たって跳ね返った場合においても、蓄電装置３０の後部を確実に保護することができる。
【００５２】
また、第１ブラケット４０と第２ブラケット５０とを連結して、蓄電装置３０を囲うように剛性部材を配設することにより、蓄電装置３０の側面全周を剛性部材で一体的に保護することで、蓄電装置を強固に補強して、蓄電装置３０をより確実に保護することができる。
【００５３】
前輪１０と蓄電装置３０との間において、第１ブラケット４０の前方を覆うようにフェンダーライナー６０を設けることにより、異物の跳ね上げに対して、フェンダーライナー６０と第１ブラケット４０とで蓄電装置３０を二重に保護することができる。
【００５４】
また、小石の跳ね上げからの保護に加えて、泥水や凍結防止剤を含んだ塩水の飛水等による錆害に対する、蓄電装置３０及び第１ブラケット４０の耐久性も向上させることができる。
【００５５】
さらに、フェンダーライナー６０が第１ブラケット４０に取り付けられることにより、異物がフェンダーライナー６０に衝突したときの衝撃が、フェンダーライナー６０と第１ブラケット４０との両者で吸収されるため、蓄電装置３０をより確実に保護することができる。
【００５６】
フェンダーライナー６０の後下端部を後方に屈曲させるとともに蓄電装置３０の下方まで延設して、下方からフェンダーライナー６０と蓄電装置３０との間の空間への異物の浸入を防止することにより、蓄電装置３０をより確実に保護することができる。
【００５７】
フェンダーライナー６０の延設部６２を蓄電装置３０の後方の車体まで延設して、下方から蓄電装置３０と蓄電装置３０後方の車体との間の空間への異物の浸入を防止するとともに、延設部６２の先端の固定部６２ａをトルクボックス９（車体）へ取り付けることで、車両前後方向に長く設けた延設部６２の支持剛性を確保して、蓄電装置３０をより確実に保護することができる。
【００５８】
第１ブラケット４０は、本体部４１が蓄電装置３０の前方を覆って設けられるとともに蓄電装置に取り付けられることにより、蓄電装置の重さを第１ブラケットの広範に分散させて、確実に蓄電装置を支持することができる。
【００５９】
フロントフレーム２０の後端部がダッシュパネル８の前面に沿って延設されており、フロントフレーム２０とダッシュパネル８とで閉断面２５を形成して、車室前壁部を補強することができる。さらに、第１ブラケット４０は、閉断面２５を有するフロントフレーム２０の閉断面形成部である外延部２４に取り付けられることで、重量物である蓄電装置３０を、より確実に支持することができる。
【００６０】
（その他の実施形態）
本発明は、上記実施形態に限られるものではなく、請求の範囲の主旨を逸脱しない範囲で代用が可能である。
【００６１】
例えば、上記実施形態では、蓄電装置３０を、第１ブラケット４０及び第２ブラケット５０を介してフロントフレーム２０の外延部２４及びトルクボックス９を形成する部材に組み付けたが、ダッシュパネル８やフロアパネル７等の他の車体部品に組み付けてもよい。
【００６２】
また、フェンダーライナー６０の延設部６２の先端に固定部６２ａを設け、トルクボックス９の下面に取り付けたが、フロアパネル７等の他の車体部品に組み付けてもよく、また図９及び図１０に示すように、フェンダーライナー７０の延設部７２の先端を蓄電装置３０の下方にとどめて、延設部７２を短く形成してもよい。
【００６３】
さらに、フェンダーライナー６０には別体の後壁部６１に設けたが、後壁部６１は一体で設けてもよい。但し、後壁部６１を別体に設ける方が、車両状態での蓄電装置３０の着脱を容易にしてサービス性を向上させることができて好ましい。
【００６４】
また、蓄電装置３０は、キャパシタ以外のもの（例えば、ニッケル水素二次電池、ニッカド二次電池、リチウムイオン二次電池、鉛蓄電池等の二次電池）であっても良い。但し、キャパシタの方が、蓄電装置３０に対する電気の入出力が素早く行えて好ましい。
【００６５】
さらに、上記実施形態に係る車両１は、エンジンで駆動されるものであるが、車両前部のモータルーム内に配設されるモータで駆動される電動車両であってもよく、エンジンとモータとを併用するハイブリッド車両であってもよい。
【００６６】
上記の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【符号の説明】
【００６７】
１…車両
８…ダッシュパネル
１０…前輪
２０…フロントフレーム
２１…フロントサイドフレーム（フロントフレームの前部）
３０…蓄電装置
４０…第１ブラケット
４１…本体部（第１ブラケット）
４２…連結部（第１ブラケット）
４３…組付け部（第１ブラケット）
４５…フェンダーライナー取付け部（第１ブラケット）
５０…第２ブラケット
５１…本体部（第２ブラケット）
５２…連結部（第２ブラケット）
５３…組付け部（第２ブラケット）
６０，７０…フェンダーライナー
６１，７１…後壁部（フェンダーライナー）
６２，７２…延設部（フェンダーライナー）
【図１】
2015030438.tif 000003
【図２】
2015030438.tif 000004
【図３】
2015030438.tif 000005
【図４】
2015030438.tif 000006
【図５】
2015030438.tif 000007
【図６】
2015030438.tif 000008
【図７】
2015030438.tif 000009
【図８】
2015030438.tif 000010
【図９】
2015030438.tif 000011
【図１０】
2015030438.tif 000012